(57)【要約】【課題】携帯用無線通信端末を血圧計上に配置可能にすることで、携帯用無線端末と確実に無線通信可能にした血圧計の提供。【解決手段】血圧測定に関する情報を表示する表示部６を天面５ｃで確認出来るように有する血圧計１において、天面５ｃに設けられた、携帯用無線通信端末１４の載置部１３と、載置部１３上の携帯用通信端末１４に対して通信を行うように設けられた短距離無線通信手段２４と、を有することを特徴とする、血圧計。【選択図】図４
2014000147.tif 000002
【特許請求の範囲】
【請求項１】
血圧測定に関する情報を表示する表示部を天面で確認出来るように有する血圧計において、
前記天面に設けられた、携帯用無線通信端末の載置部と、
前記載置部上の携帯用通信端末に対して通信を行うように設けられた短距離無線通信手段と、
を有することを特徴とする、血圧計。
【請求項２】
前記天面を水平方向に対して傾斜するように形成し、
前記載置部に少なくとも一部に滑り止め用の滑止部を設けたことを特徴とする、請求項１に記載の血圧計。
【請求項３】
前記滑止部の少なくとも一部を前記天面から突出させたことを特徴とする請求項２に記載の血圧計。
【発明の詳細な説明】
【技術分野】
【０００１】
本発明は、携帯用通信端末を載置して利用出来る血圧計の技術である。
【背景技術】
【０００２】
下記特許文献１には、血圧計に接続した携帯電話から送信された血圧データ等をサーバで受信すると共にドクター用コンピュータで処理する、血圧データ管理システムが記載されている。特許文献１に記載された血圧計は、シリアルケーブル、データ転送装置及び通信ケーブルを介して携帯電話に接続されている。
【先行技術文献】
【特許文献】
【０００３】
【特許文献１】特開２００９−１７２３９８号公報
【発明の概要】
【発明が解決しようとする課題】
【０００４】
特許文献１に記載された血圧計は、携帯電話に有線で接続されており、携帯電話に接続する際に２本のケーブルとデータ転送装置を接続しなければならないため、携帯電話との接続に手間がかかる点で問題がある。
【０００５】
一方、血圧計においては、無線の送信機を内部に設置して、携帯電話のような携帯用無線通信端末と無線で接続することにより、ケーブル等の有線接続を省略することも考えられる。しかし、無線による接続は、携帯用無線通信端末の配置位置が悪く、血圧計から発生した電波が携帯電話まで届かない場合、血圧計と携帯電話の接続が出来なくなる点で問題がある。
【０００６】
本願の血圧計は、上記問題に鑑み、携帯用無線端末を無線によって確実に接続できる血圧計上に配置可能にすることで、携帯用無線端末と確実に無線通信可能な血圧計を提供するものである。
【課題を解決するための手段】
【０００７】
前記目的を達成するため、請求項１の血圧計は、血圧測定に関する情報を表示する表示部を天面に有する血圧計において、前記天面に設けられた、携帯用無線通信端末の載置部と、前記載置部上の携帯用通信端末に対して通信を行うように設けられた短距離無線通信手段と、を有するようにした。
【０００８】
（作用）請求項１の血圧計においては、血圧計の天面上の載置部に携帯用無線通信端末を載置することにより、表示部の視認性を阻害せず、かつ血圧計の短距離無線通信手段による電波を確実に携帯用無線通信端末に届けることが出来る。
【０００９】
また、血圧計の天面に載置された携帯用無線通信端末の表示部が血圧計の表示部と並んで配置されるため、血圧計の使用者は、血圧計の表示部と携帯用無線通信端末の表示部を同時に見ることが出来る。
【００１０】
請求項２は、請求項１の血圧計において、前記天面を水平方向に対して傾斜するように形成し、前記載置部に少なくとも一部に滑り止め用の滑止部を設けるようにした。
【００１１】
血圧計においては、液晶表示部を血圧計の使用者に見やすくするように血圧計の天面を水平方向に対して傾斜させているものが多い。一方、天面が傾斜する血圧計に携帯用無線通信端末の載置部を設けても、携帯用無線通信端末は、傾斜する載置部から滑り落ちてしまうため、携帯用無線端末を載置部上に載置出来ない。
【００１２】
（作用）請求項２の血圧計においては、載置部に載置された携帯用無線通信端末が、滑止部に接触することにより、天面と共に傾斜する載置部から滑り落ちることなく載置部上に保持される。また、天面に載置された携帯用無線通信端末の表示部が、血圧計の表示部と共に斜めに並んで配置されることにより、血圧計の表示部と携帯用無線通信端末の表示部は、更に同時に視認されやすくなる。
【００１３】
請求項３は、請求項２に記載の血圧計において、前記滑止部の少なくとも一部を前記天面から突出させた。
【００１４】
（作用）請求項３の血圧計においては、滑止部の少なくとも一部を天面の前方に突出させることにより、載置部上の携帯用無線通信端末と接触しやすくなるため、傾斜する載置部上における携帯用無線通信端末の保持力が更に向上する。
【発明の効果】
【００１５】
請求項１の血圧計によれば、血圧計の機能を阻害すること無く携帯用無線端末を血圧計の上に載置出来るため、携帯用無線端末と確実に無線接続可能な血圧計を得ることが出来る。また、請求項１の血圧計によれば、血圧計の表示部と携帯用無線通信端末の表示部を同時に見ることが出来るため、血圧計の表示部と携帯用無線通信端末の表示部を同時に見ながら行う携帯用無線通信端末の操作をしやすくなる。
【００１６】
請求項２の血圧計によれば、携帯用無線端末を血圧計の傾斜する天面上に載置しやすくなるため、携帯用無線端末と確実に無線接続可能な血圧計を得ることが出来る。更に、請求項２の血圧計によれば、血圧計の表示部と携帯用無線通信端末の表示部を更に同時に視認しやすくなるため、血圧計の表示部を携帯用無線通信端末の表示部と同時に見ながら行う携帯用無線通信端末の操作を更にしやすくなる。
【００１７】
請求項３の血圧計によれば、載置部上における携帯用無線通信端末の保持力が向上したことにより、水平方向に対する天面の傾斜が大きな血圧計や、携帯用無線通信端末の重量が重い場合においても傾斜する載置部上に携帯用無線端末を載置出来る。つまり、携帯用無線端末を血圧計の傾斜する天面上に更に載置しやすくなるため、携帯用無線端末と確実に無線接続可能な血圧計を得ることが出来る。
【図面の簡単な説明】
【００１８】
【図１】本願に係る血圧計の実施例を正面側から見た斜視図である。
【図２】本実施例に係る血圧計を背面側から見た斜視図である。
【図３】本実施例に係る血圧計の分解斜視図である。
【図４】本実施例の血圧計の使用状態を示す斜視図である。
【図５】通電状態における本実施例の液晶表示部を示す図である。
【発明を実施するための形態】
【００１９】
次に、本願発明に係る血圧計の実施例を各図を用いて説明する。
【００２０】
尚、各図においては、血圧計の各方向をそれぞれ、（上方向：下方向：左方向：右方向：前方向：後方向＝Ｕｐ：Ｌｏ：Ｌｅ：Ｒｉ：Ｆｒ：Ｒｅ）方向をとして説明を行なう。
【００２１】
本実施例の血圧計１は、図１に示すように上ケース３と下ケース４によって形成されたケース２、銘板５、液晶表示部６（尚、符号６の表示部には、有機ＥＬ（Electro Luminescence）パネルを利用したもの等、液晶以外の表示部を用いても良い）液晶以外の表示部を用いても良い）、電源ボタン７、携帯用無線通信端末１４の滑り止めに使用される滑止部８を有する。
【００２２】
下ケース４は、上面（天面）が開口する箱形に形成され、上面の開口部４ａは、水平方向（底面４ｂの面方向）に対して後方から前方に下降するように傾斜する。上ケース３は、開口部４ａを閉塞するように傾斜した状態で下ケース４に取り付けられる。
【００２３】
上ケース３には、左上端部近傍に液晶表示部６の取付窓９が設けられ、取付窓９には、液晶表示部６が上ケース３の天面３ａと面一になるようにはめ込まれる。液晶表示部６の下には、後述する電源スイッチ２３を押し下す電源ボタン７が設けられる。電源ボタン７は、複数の可撓部３ｂによって円孔３ｃに保持され、かつ天面３ａの上方に突出する。
【００２４】
また、上ケース３の天面３ａには、銘板５が両面テープ１１等によって貼り付けられる。銘板５は、ガラス板やプラスチック板などの透明板で形成され、銘板５の天面５ｃは、上ケースに固定されることによって後方から前方に下降するように傾斜する平らな傾斜面となる。銘板の裏面（下面）には、液晶表示部の配置部位５ｄを除いて不透明の印刷処理を施す。尚、下ケース４（図２では、ケース２）の外側前面４ｅと、外側後面４ｆは、それぞれ銘板５の面方向に対して直交するか、または下ケース４の内側に向けて鋭角となるように形成される。その結果、本実施例の血圧計１においては、銘板５の面方向に直交する方向から血圧計１を見た場合、ケース２が銘板５の内側に隠れて見えなくなり、かつ銘板５だけが見えるため、血圧計１を利用するものから見た見栄えが向上している。
【００２５】
液晶表示部の配置部の周辺には、銘板５の裏面の印刷処理において、液晶表示部に表示される数値の単位等を表す周辺印刷部１２が設けられる。尚、携帯用無線通信端末１４の載置部１３は、本実施例において、液晶表示部６と周辺印刷部１２の右側の領域（周辺印刷部１２の右端部１２ａの右側領域）に形成される。液晶表示部６と周辺印刷部１２は、載置部１３を確保するために、例えば銘板の左右方向の中央線Ｌ１よりも左方の領域に配置されるようにする。
【００２６】
また、銘板５には、電源ボタン７と対応する位置に電源ボタン７の挿通円孔５ａが設けられる。電源ボタン７は、銘板の天面５ｃとほぼ面一となるように挿通円孔５ａに挿通される。
【００２７】
また、銘板５には、滑止部８の取付用の有底溝５ｂが設けられる。滑止部８は、ゴム等の滑りにくい素材により、左右に延びる平板状に形成され、その両端部は、円弧状に形成される。有底溝５ｂは、滑止部８の外形に沿って銘板５の左下端部近傍から右下端部近傍まで左右に延びるように形成される。滑止部８は、有底溝５ｂに嵌めこまれ、かつ図示しない両面テープや銘板５の裏面からのネジ止め等によって有底溝５ｂに取り付けられ、かつ銘板５の天面５ｃの斜め前方に突出する。
【００２８】
尚、本実施例においては、ゴムのような弾性体からなる滑止部８を銘板５の天面５ｃから突出させることによって携帯用無線通信端末１４を係止しているが、滑止部は、このような構成に限定されるものではない。滑止部は、例えば、天面５ｃにおける載置部１３の形成箇所の少なくとも一部に摩擦係数を増加させる印刷を施すことで形成されても良いし、滑止部８のような一様な凸部ではなく、弾性体等からなる微小な突起を載置部１３に多数設けることによって形成されてもよい。
【００２９】
図１に示すように、滑止部８は、少なくとも一部が載置部１３に含まれるように形成される。尚、各図に示される滑止部８は、一例として表示部６の下側領域から載置部１３の下側領域まで形成されているが、滑止部８は、載置部１３の下端部近傍にのみ設けられていれば良い。また、銘板５には、携帯用無線通信端末１４の載置部であることを示すマーク１３ａを載置部１３の位置に印刷しても良い。
【００３０】
また、載置部１３の配置は、本実施例のように液晶表示部６の右側に限られない。例えば、載置部は、液晶表示部と周辺印刷部を銘板の右側領域に配置することによって、液晶表示部の左側に設けられてもよい。また、載置部は、液晶表示部の上方または下方に設けられても良い。尚、載置部を液晶表示部の上下方向のいずれかに設ける場合には、液晶表示部と載置部を横長に形成し、かつ載置部状の携帯用無線通信端末を横向きに係止するように滑止部を形成すると良い。
【００３１】
携帯用無線通信端末１４は、携帯用コンピュータ機能を有する携帯機器であって、スマートフォンと呼ばれるような端末である。例えば、携帯用無線通信端末１４においては、矩形の板状からなる形状を有し、片面のほぼ全面に設けられた、振れることで端末の操作を行うことの出来るタッチパネル式の液晶表示部１４ｂ（尚、符号１４ｂの表示部には、有機ＥＬパネルを利用したもの等、液晶以外の表示部を用いても良い）と、液晶表示部１４ｂの下方に必要に応じて設けられた、操作ボタン１４ｃと、を有するようにする。
【００３２】
携帯用無線通信端末１４は、短距離無線通信用のＩＣチップ（図示せず）を内部に備え、かつ図４に示すように載置部１３上に載置されることにより、液晶表示部６及び周辺印刷部１２を隠さないように血圧計１の上に配置される。また、滑止部８が載置部１３（銘板５）の下端部近傍に配置されているため、載置部１３上の携帯用無線通信端末１４は、図４に示すように天面５ｃから突出した滑止部８の上に配置されることによってその裏面を係止されるか、または少なくともその下端部１４ａを滑止部８の上端部８ａによって係止されることにより、水平方向に対して傾斜する載置部１３上から滑り落ちること無く保持される。
【００３３】
このように、血圧計１の上において、携帯用無線通信端末１４を傾斜する載置部１３上に配置出来ることにより、携帯用無線通信端末１４の液晶表示部１４ｂは、血圧計の液晶表示部６の隣に並んで配置される。その結果、血圧計１の液晶表示部６を携帯用無線通信端末１４の液晶表示部１４ｂと同時に見ることが出来るため、血圧計１を操作する者においては、血圧計１の液晶表示部６を携帯用無線通信端末１４の液晶表示部１４ｂと同時に見ながら携帯用無線通信端末１４を操作しやすくなる。
【００３４】
一方、下ケ―ス４の内側には、エアーポンプ１５、メイン基板１６，ホルダー１７、アンテナ１８，エアソケット１９、及びアクチュエータ２０等が固定される。メイン基板１６は、下ケース４の円孔４ｄから露出する給電コネクタ２２に接続したＡＣアダプタ（図示せず）か、または、電池蓋２５と端子２６を介して下ケース４の内側に設けた電池収納部（図示せず）内の電池から給電を受ける。また、液晶表示部６と無線送信用のアンテナ１８は、ホルダー１７を介して下ケース４に固定されると共に接続されるメイン基板１６のＣＰＵ２１によって制御される。液晶表示部６は、測定された血圧値の最高値、最低値及び脈拍数等を表示する。エアソケット１９は、腕体接続用のエアケーブル（図示せず）を接続するためのコネクタ１９ａが下ケース４の円孔４ｃから露出するように下ケース４に固定され、かつエアーポンプ１５とアクチュエータ２０に接続される。エアーポンプ１５とアクチュエータ２０は、接続されるメイン基板１６のＣＰＵ２１によって制御され、血圧測定時には、アクチュエータ２０の開閉動作に伴いエアーポンプ１５がエアーケーブル（図示せず）を介して腕体に空気を送り込む。
【００３５】
また、アンテナ１８は、ＣＰＵ２１によって制御される短距離無線通信手段２４を構成し、載置部１３上の携帯用無線通信端末１４に設けられたＩＣチップとの間で血圧測定に関する結果データを通信する。短距離無線通信手段２４には、例えば、Felica（登録商標）のような、非接触式のＩＣカードに使用されるシステムを採用し、当該システムにおいては、一例としてその通信距離を１０ｍｍ程度とすることが考えられる。血圧計１から携帯用無線通信端末１４に対して行われる無線通信は、携帯用無線通信端末１４が載置部１３上に載置されて、端末内部のＩＣチップが血圧計内のアンテナ１８に近接することによって、確実に行われる。
【符号の説明】
【００３６】
１                    血圧計
５ａ                  銘板の天面
６                    液晶表示部（請求項１の表示部）
８                    滑止部
１３                  載置部
１４                  携帯用無線通信端末
１８                  アンテナ（短距離無線通信手段）
２４                  短距離無線通信手段
Ｆｒ                  前方向（水平方向）
Ｒｅ                  後方向（水平方向）
【図１】
2014000147.tif 000003
【図２】
2014000147.tif 000004
【図３】
2014000147.tif 000005
【図４】
2014000147.tif 000006
【図５】
2014000147.tif 000007